(57)【要約】【目的】インターネットオークション等による転売を減らし、かつ興行の会場入場の際の係員の負担を増やさない興行等のチケットを提供する。【解決手段】半券部１４と座席番号１６を表示した本体部１２とからなるチケットにおいて、前記座席番号１６を外部から視認出来ない様にするためのシール部材３０を設ける。シール部材３０は、半券部１４と剥離不能に接着固定される第一領域部３４と、本体部１２と貼付手段２４を介して剥離可能に接着される第二領域部３２とからなる。興行会場における観客の入場の際、係員が半券部１４と本体部１２を切り離すと、本体部１２から第一領域部３４が一緒に剥離されるため、係員の負担を増やすことがない。【選択図】図５
2010260223.tif 000002
【特許請求の範囲】
【請求項１】
半券部と座席番号を表示した本体部とからなるチケットにおいて、前記座席番号を外部から視認出来ない様にするためのシール部材と前記本体部とを貼付手段を介して剥離可能に貼付したことを特徴とするチケット。
【請求項２】
前記貼付手段を、再貼付不可とすることを特徴とする請求項１に記載のチケット。
【請求項３】
前記半券部に座席番号を表示した場合に、前記シール部材は前記半券部の前記座席番号を視認出来なくさせるものであることを特徴とする請求項１又は２のいずれか１項に記載のチケット。
【請求項４】
前記半券部と前記本体部とを切り取り線で連結したものにおいて、前記シール部材の一部を前記半券部に固定することを特徴とする請求項１乃至３のいずれか１項に記載のチケット。
【請求項５】
前記シール部材が前記半券部に固定する第一領域と前記本体部に前記貼付手段を介して貼付する第二領域とを連結したものから成り、前記座席番号を前記第二領域の前記本体部と接合する側の面に設けることにより外部から視認出来なくしたことを特徴とする請求項４に記載のチケット。
【請求項６】
前記シール部材が前記半券部に固定する第一領域と前記本体部に前記貼付手段を介して貼付する第二領域とを連結したものから成り、前記第一領域と前記第二領域との境界位置から前記第二領域に向かう辺が、前記切り取り線の切り取り方向と鋭角の角度に配置したことを特徴とする請求項４又は５のいずれか１項に記載のチケット。
【請求項７】
前記シール部材が前記半券部に固定する第一領域と前記本体部に前記貼付手段を介して貼付する第二領域とを連結したものから成り、前記第一領域と前記第二領域との境界位置が角を形成しない様に丸みをもたせた形状とすることを特徴とする請求項４又は５のいずれか１項に記載のチケット。
【請求項８】
前記半券部を前記本体部の前記座席番号を覆い隠すシール部材としたことを特徴とする請求項１又は２のいずれか１項に記載のチケット。
【請求項９】
前記半券部に座席番号を表示した場合に、前記半券部の前記座席番号を前記本体部に接合させて視認出来なくしたことを特徴とする請求項８に記載のチケット。
【請求項１０】
前記座席番号を確認するための暗号化された座席番号認識手段を外表面に設けることを特徴とする請求項１乃至９のいずれか１項に記載のチケット。
【発明の詳細な説明】
【技術分野】
【０００１】
本発明は、インターネットオークション等による転売を減らすことを目的とした興行等のチケットに関する。
【背景技術】
【０００２】
従来の一般的なチケットの正面図を図１３に示す。従来の興行等におけるチケット６０は、本体部１２と半券部１４とから成り、本体部１２と半券部１４の間には切り取り線１８が設けられ、分離可能となっている。チケット６０の表面には、興行名、開催日時、会場、座席番号等が印刷されている。特に、座席番号１６(１６ａ)は、本体部１２に印刷表示されているが、半券部１４にも座席番号１６(１６ｂ)が印刷表示されている場合が多い。チケットは、入場者が会場へ入場する際に、係員によって確認されて本体部１２と半券部１４が切り取り線１８に沿って切り離される。そして、本体部１２は観客が所持し、半券部１４は係員が回収する。
【発明の概要】
【発明が解決しようとする課題】
【０００３】
インターネットオークションの普及により、興行等のチケット６０もオークションに出品されることが増えている。このオークションにおいて、チケットを落札しようとする者は、チケット６０に表示されている座席番号１６を確認してから、そのチケット６０を落札するかどうかを判断する場合が多い。即ち、座席番号１６は、オークションにおける落札額に最も影響を与える要因であるが、興行等のチケット６０ではこの座席番号１６を容易に確認することが出来るため、特に人気の高い座席のチケット６０はオークションでかなりの高値で取り引きされるなどといった事が多かった。そのため、最近では、オークションにおいてチケットが高値で取り引きされることを見込んで、観覧目的ではなく転売目的でチケットを取得する者が現れるなど、本当に興行を観覧したい者がチケットを入手しにくいという状況が生じていた。
【課題を解決するための手段】
【０００４】
本発明のチケットは、当該課題を解決するため、本発明に係るチケットは、半券部と座席番号を表示した本体部とからなるチケットにおいて、前記座席番号を外部から視認出来ない様にするためのシール部材と前記本体部とを貼付手段を介して剥離可能に貼付したことを特徴とするものである。本発明に係るチケットは、前記貼付手段を、再貼付不可とすることを特徴とするものである。本発明に係るチケットは、前記半券部に座席番号を表示した場合に、前記シール部材は前記半券部の前記座席番号を視認出来なくさせるものであることを特徴とするものである。本発明に係るチケットは、前記半券部と前記本体部とを切り取り線で連結したものにおいて、前記シール部材の一部を前記半券部に固定することを特徴とするものである。本発明に係るチケットは、前記シール部材が前記半券部に固定する第一領域と前記本体部に前記貼付手段を介して貼付する第二領域とを連結したものから成り、前記座席番号を前記第二領域の前記本体部と接合する側の面に設けることにより外部から視認出来なくしたことを特徴とするものである。本発明に係るチケットは、前記シール部材が前記半券部に固定する第一領域と前記本体部に前記貼付手段を介して貼付する第二領域とを連結したものから成り、前記第一領域と前記第二領域との境界位置から前記第二領域に向かう辺が、前記切り取り線の切り取り方向と鋭角の角度に配置したことを特徴とするものである。本発明に係るチケットは、前記シール部材が前記半券部に固定する第一領域と前記本体部に前記貼付手段を介して貼付する第二領域とを連結したものから成り、前記第一領域と前記第二領域との境界位置が角を形成しない様に丸みをもたせた形状とすることを特徴とするものである。前記半券部を前記本体部の前記座席番号を覆い隠すシール部材としたことを特徴とするものである。本発明に係るチケットは、前記半券部に座席番号を表示した場合に、前記半券部の前記座席番号を前記本体部に接合させて視認出来なくしたことを特徴とするものである。本発明に係るチケットは、前記座席番号を確認するための暗号化された座席番号認識手段を外表面に設けることを特徴とするものである。
【発明の効果】
【０００５】
本発明に係るチケットによれば、インターネットオークションでの落札額に最も影響を与える座席番号をシール部材によって隠すことができる。シール部材で座席番号を隠し、シール部材を不正にめくった場合に、そのチケットを無効とするとの取り決めをチケットに明示するなどして周知する。これによって、チケット購入者は取り決めを守って、座席番号を見ようとしてシール部材をめくることはなく、購入者が座席番号を知ることは原則的になくなる。ただ、チケットの購入者によっては、シール部材をめくって座席番号を不正に見るおそれも若干は存在する。このような座席番号を不正に見るおそれを防止するために、座席番号を表示した本体部や半券部とシール部材との接着手段を再貼付不可手段とする。これによって、チケット購入者等のチケットをオークションに出品しようとする者が、シール部材をめくった場合に、シール部材が再貼付しないで不正の痕跡が残るので、シール部材をめくって不正に座席番号を見ることを防止できる。この様に落札額に大きく影響を与える座席番号が見られなくなることにより、落札しようとする者が落札しにくくなるなど、チケットを転売して利益を得ようとする者にとっては利益が出づらい状況となるため、オークションでの転売行為を減らすことができる。また、この様な転売目的のチケットの購入を減らすことが出来、本当に興行を観覧したい者がチケットを入手しやすくなる。
【０００６】
また、本発明のチケットによれば、シール部材の一部を半券部に固定することにより、半券部を本体部から切り取り線に沿って切り取る作業の際に、一緒にシール部材が本体部からめくれるようにすることができるため、係員の作業が本体部から半券部を切り離す従来と同じ作業だけで済ますことができ、係員の作業負担を増やさなくて済む。また、本発明によれば、係員が本体部と半券部を切り離す作業をする際、シール部材が破損したり、本体部に破れ残ってしまうことを防止できる。
【０００７】
本発明によれば、座席番号を隠すための部材を半券部とすることで、必要な部材を減らし、コストが抑えることができる。更に、この場合に、本体部と半券部の座席番号が表示された面を接合面とすることで、本体部と半券部の座席番号を両方隠すことが出来る。
【０００８】
また本発明では、チケット販売業者等が連席の確認などのために座席番号を知る必要がある場合に、座席番号認識手段によって座席番号を確認することができる。
【図面の簡単な説明】
【０００９】
【図１】本発明に係る実施例１におけるチケットの正面図である。
【図２】図１のＡ−Ａ線断面図である。
【図３】図１の状態からシール部材をめくって座席番号を露出した状態示す斜視図である。
【図４】本発明に係る実施例２におけるチケットの分解斜視図である。
【図５】本発明に係る実施例２におけるチケットの部分正面図である。
【図６】図５のＢ−Ｂ線断面図である。
【図７】図５のＣ−Ｃ線断面図である。
【図８】主体部からシート部材を剥す状態を示す組立て図である。
【図９】本発明に係る実施例３におけるチケットの要部正面図である。
【図１０】本発明に係る実施例３におけるチケットの他の例を示す要部正面図である。
【図１１】本発明に係る実施例４におけるチケットの組立て図である。
【図１２】図１１のＤ−Ｄ線断面図である。
【図１３】従来のチケットの正面図である。
【発明を実施するための形態】
【実施例１】
【００１０】
本発明に係るチケットの実施例１を図１乃至図３に基づいて説明する。なお、従来のチケットに係る図１３と同一符号は同一部材を示すものである。図１に示すように、チケット１０は、本体部１２と半券部１４とから成り、それらの境界にそれらを分離するためのミシン目線等の切り取り線１８を設けている。図３に示すように、本体部１２には座席番号１６ａが印刷表示され、半券部１４にも座席番号１６ｂが印刷表示されている。座席番号１６ａと座席番号１６ｂとを合わせて、座席番号１６とする。なお、本体部１２には座席番号１６ａを表示するが、半券部１４は座席番号１６ｂを表示しないものもあるが、ここでは、本体部１２に座席番号１６ａを表示し、半券部１４に座席番号１６ｂを表示するものとして説明する。
【００１１】
本体部１２及び半券部１４の上には、本体部１２の座席番号１６ａと半券部１４の座席番号１６ｂとを覆い隠すための座席番号視認防止手段としてのシール部材２０を取付ける。シール部材２０を取付けた状態のチケット１０においては、座席番号１６ａ，１６ｂは外部から視認出来ないものであり、チケット１０からシール部材２０を剥離することによって座席番号１６ａ，１６ｂが露出し、座席番号１６ａ，１６ｂが分かるようにする。シール部材２０を取付けたチケット１０のシール部材２０以外の箇所には、図１で図示はしないが、座席情報以外の興行のタイトル、開催日時、開催会場等の印刷表示を視認できるように設定する。シール部材２０の表面（図１における表面）には「シール部材２０は会場の係員によって剥がされる規則になっており、事前にシール部材２０を自ら剥がした場合には、そのチケット１０は無効になる」旨を記載するのが望ましい。
【００１２】
図２は、図１のＡ−Ａ線拡大断面図である。シール部材２０と本体部１２や半券部１４との接合面であって、図３の一点鎖線の領域にシール部材２０と本体部１２や半券部１４とを貼り付けるための貼付手段２４として粘着層を設ける。即ち、シール部材２０は粘着層（貼付手段２４）を備え、それを剥離するための剥離層（図示せず）を本体部１２や半券部１４に備える。シール部材２０は、貼付手段２４と図示しない剥離層によって、剥離可能に本体部１２や半券部１４に貼り付けられる。上記貼付手段２４としての粘着層、及び剥離層は、例えば粘着ラベルや玩具等のステッカー（シール）として一般に使用されているものを用いればよい。なお、粘着層を本体部１２や半券部１４上に設け、シール部材２０に剥離層を設けても良い。
【００１３】
ただ、この様にすると、シール部材２０が本体部１２や半券部１４に対して再貼付・再剥離が可能なものとなるため、チケット購入者が、シール部材２０をめくり座席番号１６を確認した後、シール部材２０を本体部１２や半券部１４に再貼付して元に戻してから、確認した座席番号１６の情報を添えてインターネットオークションにそのチケットを出品するおそれがある。このような、不都合を回避するために、座席番号１６が不正に見られることを防止するための手段として貼付手段２４を再貼付不可能にし、一度シール部材２０を本体部１２や半券部１４から剥すと、二度と貼り直せないようにしてもよい。
【００１４】
シール部材２０の本体部１２や半券部１４への再貼付を不可能とする再貼付不可手段としては、例えば、１枚の紙の中央で２つに折り曲げて接合させ、折り曲げた２つの接合面を圧着させる発明（特許文献１「特開２００３−１６５２８６」）などがある。この発明は、２つに折り曲げる１枚の紙の片面に例えば剥離可能な特殊な感圧性接着剤を塗布し、当該特殊な感圧性接着剤を塗布した面を内側にして２つに折り曲げ、接合した面を外側から加圧することで接合面を圧着するものであり、個人情報等を隠蔽したまま受取人に送るための「圧着ハガキ」などに適用されている。この特殊な感圧性接着剤としては、従来の一般的な感圧性接着剤（例えば、天然ゴム系のラテックス等）を接着剤基剤とし、その接着剤基剤に対し非親和性を示す既知の微粒状充填剤（例えば、シリカ、酸化亜鉛、酸化チタン、炭酸カルシウム等）を配合したものが提案されている
【特許文献１】特開２００３−１６５２８６
【００１５】
例えば、本発明においては、シール部材２０と本体部１２や半券部１４の少なくとも一方に、当該特殊な感圧性接着剤を塗布して、シール部材２０と本体部１２や半券部１４とを接合させて、それらを圧着すればよい。こうすることで、シール部材２０は剥離可能でありながら、一度剥離すると通常の方法では元に戻せない（再貼付することができない）様にすることができるため、仮に、会場の係員以外の者がシール部材２０を本体部１２や半券部１４から剥して座席番号１６を不正に見た場合、その不正の痕跡を残すことが出来る。
【００１６】
上述のもの以外にも、再貼付を不可能とする技術は、数多く存在する。ただ、本発明において重要なのは、再貼付不可手段はシール部材２０を本体部１２や半券部１４から一旦剥したら再貼付出来ないという効果が得られれば足りるため、この様な効果が得られるものであればどのような技術を採用しても良い。
なお、以下、貼付手段２４は、上に挙げた、一般的に使用されている粘着層とそれを剥離するための剥離層によって再貼付・再剥離が可能となる手段、又は、一旦剥離すると再貼付が不可能となる手段をいうものとする。また、図面においては、図３等と同様に、一点鎖線で囲まれた領域が、当該貼付手段２４を介して剥離可能に接着される箇所を示すものである。
【００１７】
例えば、シール部材２０が一旦剥離された不正の痕跡が残るチケット１０を無効として当日会場への入場を拒否するなどの措置を取る事を、例えばチケット１０上に明記するなどして周知徹底する。これによって、チケット購入者はチケット１０からシール部材２０を剥がすことはなくなり、インターネットオークション等でチケットを出品するにしても、チケットの出品者及びチケットを落札しようとする者は、座席番号を見ることができないため、チケットが高値で取り引きされることを防止することができる。また、チケット購入者が間違ってシール部材２０を剥してしまってチケットが無効となる事故を防ぐことができる。
【００１８】
また、シール部材２０は、座席番号１６を覆い隠すことにより外部から座席番号１６が視認出来なくできるものであれば、素材は問わない。例えば、紙や合成樹脂等の様に柔軟性を有し、シート状に加工しやすいものであって、貼付手段２４を施しやすいものが望ましい。また、シール部材２０は、隠蔽性の向上、強度の向上、貼付手段２４の施し易さなどに応じて、一層ではなく、多層構造にしてもよい。
【００１９】
チケット１０には、バーコードのような暗号化された座席番号認識手段２２を備えても良い。座席番号認識手段２２は、これを所定の読み取り装置によって読み取ることで、座席番号１６の内容が確認できるようにするものである。本発明のチケット１０は、シール部材２０により座席番号１６が隠されており、何らかの事情で座席番号１６を確認する必要が生じた場合に、この座席番号認識手段２２を所定の読取り装置によって読み取ることで、座席番号１６を確認出来るようにするためのものである。図１においては、本体部１２に座席番号認識手段２２を有しているが、これは半券部１４でもシール部材２０でも、チケット１０の外表面のどの位置に設けてもよい。バーコードの読み取り手段等の技術については、従来一般に知られているものであるため、その説明を省略する。
【００２０】
座席番号認識手段２２は、バーコードに限るものではなく、例えば、乱数発生器を用いて暗号化して得られた数字やアルファベットやそれらの組み合わせであっても良い。座席番号認識手段２２は、座席番号がチケット購入者には簡単に分からず、かつ、チケット販売業者又はイベント主催者には容易に分かるようなものであれば、どのようなものであっても良い。
【００２１】
チケット購入者は会場へ入場する際に、図１に示す状態のチケット１０を会場の係員に渡す。係員は、チケット１０の上面に貼り付けられたシール部材２０を半券部１４や本体部１２から引き剥す。これによって、初めてそのチケット１０の座席番号１６が露出し確認出来るようになる。その後、係員は、切り取り線１８によって本体部１２と半券部１４と切り離して、座席番号１６が確認出来るようになった本体部１２をチケット購入者に渡し、半券部１４を回収する。
【実施例２】
【００２２】
本発明に係るチケットの実施例２を図４乃至図８に示す。実施例２においても、本体部１２と半券部１４との間には、ミシン目線等の切り取り線１８を形成する。シール部材３０は、図４に示すように、半券部１４と接合する第一領域部３２と、本体部１２における座席番号１６ａを含む領域２６（一点鎖線で図示した領域）と接合する第二領域部３４とを一体に結合した形状とする。
【００２３】
図４の状態から、図５及び図５のＢ−Ｂ線断面である図６に示すように、シール部材３０の第一領域部３２と半券部１４とを、接着剤３６で剥離不能に接着固定する。それと共に、特に図７（図５のＣ−Ｃ線断面）に示すように、本体部１２の座席番号１６ａを含む領域２６（一点鎖線で図示した領域）とシール部材３０の第二領域部３４の一点鎖線で図示した領域とを貼付手段２４を介して剥離可能に接着させる。即ち、シール部材２０の一部である第一領域部３２は、半券部１４と接着剤３６によって剥離不可能に接着固定され、シール部材２０のもう一方の一部である第二領域部３４は、本体部１２と貼付手段２４によって剥離可能に貼り付けられる。これによって、図５に示す状態とチケットとなる。
【００２４】
なお、図４において、本体部１２の領域２６と、シール部材３０の第二領域部３４とを一点鎖線で示したが、その一点鎖線は本体部１２の外縁やシール部材３０の第二領域部３４の外縁までに至っていないが、これは図面で表現できないためであり、本体部１２の領域２６とシール部材３０の第二領域部３４は、外縁までに至っているものとする。同様に、図５において、本体部１２と半券部１４との間の切り取り線１８は、シール部材３０の第一領域部３２の左側の縁より左側に配置されているようになっているが、図面で表現できないためであり、実際は、切り取り線１８はシール部材３０の第一領域部３２の左側の縁と同一位置に配置されている。
【００２５】
図８において、本実施例に係るチケットを、係員が半券部１４とシール部材３０とを本体部１２から切り離す動作について説明する。半券部１４を本体部１２から切り離す場合には、切り取り線１８において第二領域部３４から離れた位置にある上端から切り取り線１８を切断して行く。切り取り線１８の切断箇所がシール部材３０の第一領域部３２と第二領域部３４との境界まで来た時に、図８に示すように、切り取り線１８を切断する方向（Ｐ方向）とシール部材３０の第二領域部３４を本体部１２から持ち上げる方向（Ｑ方向）との合力方向（Ｒ方向）に半券部１４に力を入れる。これによって、切り取り線１８が更に切り離されると共にシール部材３０の第二領域部３４は本体部１２の領域２６から剥離される。そして最終的には、切り取り線１８が切り取られて半券部１４とシール部材３０の第一領域部３２は本体部１２から離れ、シール部材３０の第二領域部３４は本体部１２から剥離され、本体部１２には座席番号１６ａが露出する。この実施例２では、係員が切り取り線１８を切り離す一連の動作によって、本体部１２と半券部１４の分離と、シール部材３０の第二領域部３４の本体部１２からの剥離を同時に行なうことができる。
【００２６】
係員は、観客の会場入場の際に、この様なチケットの本体部１２と半券部１４を切り離す作業を行う。この作業を行う回数は膨大であり、かつ、観客が入場する際の比較的短時間に行われる。このため、半券部１４を本体部１２から切り離す作業の他に、シール部材３０の剥離作業が新たに加わるだけで、係員にとってはかなりの負担増となる。しかし、実施例２のように、係員は従来と同様に半券部１４を本体部１２から切り離す一連の作業（切り取り線１８を切断する作業）のみをすればよいため、シール部材３０をチケットに取付けても、係員の作業及び負担を増やさなくて済む。
【００２７】
実施例２においては、図４や図８に示すように、シール部材３０の第二領域部３４の本体部１２との接合面に座席番号１６ｂを設けても良い。このシール部材３０の座席番号１６ｂは、シール部材３０の第二領域部３４が本体部１２から剥離した時にはじめて視認出来る。シール部材３０の第二領域部３４に座席番号１６ｂを表示することで、集めた半券部１４から当日の来客者の着席位置を認識して、情報の蓄積に役立てることができる。
【実施例３】
【００２８】
本実施例は、シール部材４０の形状に特徴を有するものである。例えば、実施例２に記載の形状では、係員が切り取り線１８に沿って半券部１４と本体部１２とを切り離す際に、シール部材３０の第一領域部３２と第二領域部３４の境界箇所が破れてしまうおそれがある。シール部材３０が破れてしまうと、本体部１２に第二領域部３４が残ってしまうため、これを剥す手間が必要となり、係員の作業が増えてしまう。実施例３は、これを防止するためのものである。
【００２９】
実施例３においては、図９に示すように、シール部材４０は、半券部１４と接着する第一領域３２と、それと接続するもので本体部１２側に突出する第二領域４２とから成り、その第二領域４２は辺４４を有する。このシール部材４０において、第一領域３２と第二領域４２との境界位置から第二領域４２側に向かう辺４４が、切り取り線１８の切り取り進行方向と成す角度をαとすると、角度αが鋭角になるよう設定する。係員が切り取り線１８に沿って図９に示す矢印方向へ半券部１４と本体部１２とを切り離す場合に、切り取り線１８が第一領域３２と第二領域４２との境界部に達した後、切り取り線１８を更に切断した場合に、辺４４と切り取り線１８の進行方向のなす角度αを鋭角としたため、シール部材４０における第一領域３２と第二領域４２との境界箇所の破れを防止することができる。また、図１０に示すように、シール部材４０において、第一領域３２と第二領域４７との境界位置が、角を形成しない丸みｒを持たせた形状としてもよい。これにより、係員が切り取り線１８に沿って半券部１４と本体部１２とを切り離す際に、シール部材４０の第二領域４２が破れて本体部１２に残ってしまうといった不具合をなくすことができる。
【実施例４】
【００３０】
本発明に係るチケットの実施例４を図１１、図１２に示す。実施例４は、本体部１２の座席番号１６ａを覆い隠すシール部材として、チケット１０の半券部１４を用いるものである。この実施例４では、半券部１４と本体部１２とは最初から分離されているものとする。この実施例４では、図１２に示すように半券部１４と本体部１２とを貼付手段２４を介して剥離可能に接着させる。半券部１４と本体部１２とが接着された状態においては、本体部１２の座席番号１６ａと半券部１４の座席番号１６ｂとの双方が接着面に隠れる用にすることで、チケット購入者にとって外部から座席番号を視認出来なくすることができる。
【００３１】
本実施例では、図１１に示すように、例えば半券部１４の下縁と本体部１２の下縁とを合致させた状態において、半券部１４の上縁５０が本体部１２の上縁５２より上方に突出するように、半券部１４の形状を設定する。即ち、半券部１４に、本体部１２に接着しないツマミ部としての突出部５４を形成する。
【００３２】
チケット購入者が会場へ入場した時に、係員は、半券部１４の突出部５４を持って、半券部１４を本体部１２から引き剥がし、半券部１４と本体部１２とを分離させる。これによって、本体部１２の座席番号１６ａを見ることができる。この実施例４では、切り取り線１８が無く、半券部１４と本体部１２とを単に引き剥がすだけであるので、係員の半券部１４と本体部１２との切り離し作業が楽である。
【００３３】
なお、実施例２，３，４においても、実施例１に設けた座席番号認識手段２２を設けるのが望ましい。
【００３４】
また、シール部材２０の形状は、上記実施例に挙げたものに限られない。例えば、実施例２におけるシール部材２０の第二領域部３４は、本体部１２の表面（座席番号１６ａが印刷されている面）の全面を覆う形状のものであってもよい。この場合には、上述同様、本体部１２と第二領域部３４は、貼付手段２４によって剥離可能に接着される。そして、座席番号１６ａ以外の興行名、会場、開催日時等が印刷されている箇所が視認できるように座席番号１６ａ以外の箇所を透明の部材とする。また、この様にシール部材の第二領域部３４で本体部１２の表面全面を覆う場合において、第二領域部３４の一部を透明に出来ない素材を用いる場合は、本体部１２の表面を全て視認出来ない様に第二領域部３４を設け、その第二領域部３４の外表面上に本体部１２に印刷されている情報であって座席番号１６ａ以外の情報、即ち、興行名、会場、開催日時等を印刷する様にしてもよい。
【符号の説明】
【００３５】
１０  チケット
１２  本体部
１４  半券部
１６  座席番号
１８  切り取り線
２０  シール部材
２２  座席番号認識手段
２４  貼付手段
３０  シール部材
３２  第一領域部
３４  第二領域部
【図１】
2010260223.tif 000003
【図２】
2010260223.tif 000004
【図３】
2010260223.tif 000005
【図４】
2010260223.tif 000006
【図５】
2010260223.tif 000007
【図６】
2010260223.tif 000008
【図７】
2010260223.tif 000009
【図８】
2010260223.tif 000010
【図９】
2010260223.tif 000011
【図１０】
2010260223.tif 000012
【図１１】
2010260223.tif 000013
【図１２】
2010260223.tif 000014
【図１３】
2010260223.tif 000015